(57)【要約】      （修正有）【課題】調製、再加熱及び撹拌を実施できる飲料調製装置を提供する。【解決手段】飲料調製装置はフィルタカップ組合せ１００と調製機構２００を備える。フィルタカップ組合せ１００は、底部の出口に漏れ止め装置１４が設けられる外部フィルタカップ１と、底部にストレーナが設けられており、頂部に蒸気導入口が設けられている内カップを有する内部フィルタカップ２とを備える。内カップと外カップ１１との間に隙間が形成されているとともに蒸気拡散出口が設けられる。調製機構２００は、カップホルダ３と、カップホルダ３の上に設けられる上蓋４と、上蓋４に接続される制御機構５とを備える。フィルタカップ組合せ１００がカップホルダ３に置かれ、外部フィルタカップ１の上縁がカップホルダ３に置かれ、上蓋４がフィルタカップ組合せ１００に選択的に被覆設置され、上蓋４に熱水吐出ヘッドと内部フィルタカップ２の蒸気導入口に対応する蒸気入口とが設けられる。【選択図】図７
0003207137.tif 000002
【実用新案登録請求の範囲】
【請求項１】
頂部に第１の上縁が形成されており、底部に出口を有し、前記出口に漏れ止め装置が設けられる外カップを有する外部フィルタカップと、頂部に第２の上縁が形成されており、底部にストレーナが設けられており、頂部に蒸気導入口が設けられている内カップを有する内部フィルタカップとを備え、前記内部フィルタカップの内カップが前記外部フィルタカップの外カップ内に置かれ、前記第２の上縁が前記第１の上縁に積み重ねられ、前記内カップと前記外カップとの間に隙間が形成されているとともに蒸気拡散出口が設けられており、前記蒸気拡散出口と前記蒸気導入口とが連通されるフィルタカップ組合せと、
カップホルダと、前記カップホルダの上に設けられる上蓋と、前記上蓋に接続される制御機構とを備え、前記フィルタカップ組合せが前記カップホルダに置かれ、前記外部フィルタカップの第１の上縁が前記カップホルダに置かれ、前記上蓋が前記フィルタカップ組合せに選択的に被覆設置され、前記上蓋に熱水吐出ヘッドと前記内部フィルタカップの蒸気導入口に対応する蒸気入口とが設けられる調製機構と、
を備える飲料調製装置。
【請求項２】
前記漏れ止め装置は常閉であり、給湯制御機構にて開閉を制御することを特徴とする、請求項１に記載の飲料調製装置。
【請求項３】
前記給湯制御機構は、減速モータと、スイングアームと、ローラと、近接スイッチと、レバーとを備え、
前記スイングアームは、一端が前記減速モータに接続され、他端が前記ローラに枢着され、前記近接スイッチが前記スイングアームの上に設けられ、
前記レバーは、支点にて前記ローラ及び前記漏れ止め装置の下方に支持設置されることを特徴とする、請求項２に記載の飲料調製装置。
【請求項４】
前記蒸気拡散出口は、前記内カップの外縁に設けられており、前記内カップの底部に近接する位置まで延出されることを特徴とする、請求項１ないし３のいずれか１項に記載の飲料調製装置。
【請求項５】
前記第１の上縁と前記第２の上縁との間にＯリングが設けられており、前記上蓋の底部に漏れ止めワッシャが設けられており、前記漏れ止めワッシャが前記上蓋の底部と前記第２の上縁との間に位置することを特徴とする、請求項１ないし４のいずれか１項に記載の飲料調製装置。
【請求項６】
前記カップホルダはＵ型となるフレーム体であり、両側にそれぞれドームが設けられており、前記ドームの一端がローラに枢設され、前記ローラが前記カップホルダの先端に位置することにより、前記フィルタカップ組合せの位置決め装置が形成されることを特徴とする、請求項１ないし５のいずれか１項に記載の飲料調製装置。
【請求項７】
前記カップホルダは、環状となり、且つスライドレールの先端に設けられることを特徴とする、請求項１ないし５のいずれか１項に記載の飲料調製装置。
【請求項８】
前記熱水吐出ヘッドが湯弁に接続され、前記蒸気入口が第１の蒸気弁に接続され、前記上蓋に蒸気入口と排気出口とが別途設けられ、前記蒸気入口と前記排気出口が第２の蒸気弁及び排気弁に接続されることを特徴とする、請求項１ないし７のいずれか１項に記載の飲料調製装置。
【請求項９】
前記熱水吐出ヘッドが湯弁に接続され、前記蒸気入口が第１の給気ポンプに接続され、前記上蓋に蒸気入口と排気出口とが別途設けられ、前記蒸気入口と前記排気出口が第２の給気ポンプ及び排気弁に接続されることを特徴とする、請求項１ないし７のいずれか１項に記載の飲料調製装置。
【請求項１０】
前記制御機構は、前記カップホルダに接続される固定座と、一端が前記固定座に枢設される取手と、前記固定座と前記上蓋との間に接続される引きバネと、前記取手と前記上蓋との間に設けられるスイングアームユニットとを備え、前記固定座に第１の位置決め点が凸設されており、前記引きバネで前記上蓋を上に引張って前記第１の位置決め点に接触させることを特徴とする、請求項１ないし９のいずれか１項に記載の飲料調製装置。
【請求項１１】
前記スイングアームユニットは、第１の枢軸と、一端が前記取手の一端に接続される上スイングアームと、一端が前記第１の枢軸で前記上スイングアームの他端に枢着される下スイングアームと、前記下スイングアームの他端に枢着され、中間にドーム押さえ駒が設けられた第２の枢軸と、複数の円板バネとを備え、前記上蓋の頂部に接続ベースが設けられており、前記接続ベースにスタッドが凸設されており、前記複数の円板バネが前記ドーム押さえ駒と前記接続ベースとの間に設けられ、前記スタッドが前記複数の円板バネ及び前記ドーム押さえ駒を貫通しナットに螺着固定されることを特徴とする、請求項１０に記載の飲料調製装置。
【請求項１２】
頂部に第１の上縁及び蒸気導入口が形成されており、底部に出口を有し、一側に蒸気拡散出口が設けられており、内縁における前記底部に近接する箇所に溝が周設されており、前記出口に漏れ止め装置が設けられており、前記蒸気拡散出口と前記蒸気導入口とが連通される外カップを有し、前記蒸気拡散出口が前記外カップの底部に近接する箇所まで延出される外部フィルタカップと、グリップに接続されているストレーナ及び前記ストレーナの外縁に外嵌されるＯリングを備えるフィルタと、を備えるフィルタカップ組合せであって、前記フィルタが前記外部フィルタカップの外カップ内に設けられ、前記Ｏリングが前記溝に係止位置決めされ、前記蒸気拡散出口と前記外カップ内部における前記フィルタの下の空間とが連通されるフィルタカップ組合せと、
カップホルダと、前記カップホルダの上に設けられる上蓋と、前記上蓋に接続される制御機構とを備え、前記フィルタカップ組合せが前記カップホルダに置かれ、前記外部フィルタカップの第１の上縁が前記カップホルダに置かれ、前記上蓋が前記フィルタカップ組合せに選択的に被覆設置され、前記上蓋に熱水吐出ヘッドと前記外部フィルタカップの蒸気導入口に対応する蒸気入口とが設けられる調製機構と、
を備える飲料調製装置。
【考案の詳細な説明】
【技術分野】
【０００１】
本考案は飲料調製装置が提供され、特に各種の食材の調製プロセスに適合できる飲料調製装置に関する。
【背景技術】
【０００２】
従来のサイフォンコーヒーポットは、下のフラスコにおける水を加熱することで、沸騰水の蒸気圧によりガラス管を介して沸騰水を上層に圧入しコーヒーを入れ、降温後、下層がすでに真空状態のようになっていることで上層の入れたコーヒーを吸い上げ、中間の濾布でコーヒー粕を濾過するものである。そのため、サイフォン式のコーヒーポットにより入れたコーヒーはコクがあり、一般に機器で入れたコーヒーが比べようもない。しかし、従来のサイフォンコーヒーポットは操作が面倒で、経験がなければ美味しいコーヒーを入れることができないという欠点がある。
【０００３】
また、以下の半自動サイフォンコーヒーマシーンがある。機器で給水作業を行い、機器で蒸気を送り込み、水を加圧して上のパーコレータに送った後、手動でコーヒー粉受けストッカーを入れ、蒸らし作業を開始させる。次に圧力を解放し、底部のポットが圧力が失われ上部のポットの液体をサックバックする。これで標準的サイフォンの入れ方が完成され、下部のポットの弁口を抜くとコーヒーを賞味することができる。この半自動サイフォンコーヒーマシーンは高価で、操作が面倒であるという欠点がある。
【考案の概要】
【考案が解決しようとする課題】
【０００４】
本考案が解決しようとする課題は、調製、再加熱及び撹拌を実施でき、飲み物の調製効果がよりよくなり、飲み物がより濃厚になり、且つ操作しやすく、安価である飲料調製装置を提供することにある。
【課題を解決するための手段】
【０００５】
本考案は、頂部に第１の上縁が形成されており、底部に出口を有し、前記出口に漏れ止め装置が設けられる外カップを有する外部フィルタカップと、頂部に第２の上縁が形成されており、底部にストレーナが設けられており、頂部に蒸気導入口が設けられている内カップを有する内部フィルタカップとを備え、前記内部フィルタカップの内カップが前記外部フィルタカップの外カップ内に置かれ、前記第２の上縁が前記第１の上縁に積み重ねられ、前記内カップと前記外カップとの間に隙間が形成されているとともに蒸気拡散出口が設けられており、前記蒸気拡散出口と前記蒸気導入口とが連通されるフィルタカップ組合せと、カップホルダと、前記カップホルダの上に設けられる上蓋と、前記上蓋に接続される制御機構とを備え、前記フィルタカップ組合せが前記カップホルダに置かれ、前記外部フィルタカップの第１の上縁が前記カップホルダに置かれ、前記上蓋が前記フィルタカップ組合せに選択的に被覆設置され、前記上蓋に熱水吐出ヘッドと、前記内部フィルタカップの蒸気導入口に対応する蒸気入口とが設けられる調製機構とを備える飲料調製装置を提供する。
【０００６】
上記の技術問題を解決するために、本考案は、頂部に第１の上縁及び蒸気導入口が形成されており、底部に出口を有し、一側に蒸気拡散出口が設けられており、内縁における前記底部に近接する箇所に溝が周設されており、前記出口に漏れ止め装置が設けられており、前記蒸気拡散出口と前記蒸気導入口とが連通される外カップを有し、前記蒸気拡散出口が前記外カップの底部に近接する箇所まで延出される外部フィルタカップと、グリップに接続されているストレーナ及び前記ストレーナの外縁に外嵌されるＯリングを備えるフィルタと、を備えるフィルタカップ組合せであって、前記フィルタが前記外部フィルタカップの外カップ内に設けられ、前記Ｏリングが前記溝に係止位置決めされ、前記蒸気拡散出口と前記外カップ内部における前記フィルタの下の空間とが連通されるフィルタカップ組合せと、カップホルダと、前記カップホルダの上に設けられる上蓋と、前記上蓋に接続される制御機構とを備え、前記フィルタカップ組合せが前記カップホルダに置かれ、前記外部フィルタカップの第１の上縁が前記カップホルダに置かれ、前記上蓋が前記フィルタカップ組合せに選択的に被覆設置され、前記上蓋に熱水吐出ヘッドと前記外部フィルタカップの蒸気導入口に対応する蒸気入口とが設けられる調製機構とを備える飲料調製装置をさらに提供する。
【考案の効果】
【０００７】
本考案に係る飲料調製装置は、フィルタカップ組合せと調製機構とを備え、前記調製機構の上蓋における熱水吐出ヘッドがフィルタボウル組合せ内の飲み物、食材に所定量の熱水を噴霧でき、前記フィルタカップ組合せに蒸気導入口、蒸気拡散出口及びストレーナが設けられており、前記フィルタカップ組合せの出口に漏れ止め装置が設けられることにより、蒸気が蒸気導入口から蒸気拡散出口を経由して下に移動してから、ストレーナを介して上に向かってカップ内に入ることができ、蒸気がカップ内に入ることで二次加温及び撹拌の効果を有することができ、飲み物の調製効果がよりよくなり、多段調製及び浸漬プロセスも実施でき、飲み物がより濃厚になり、且つ操作しやすく、より安価になる。
【図面の簡単な説明】
【０００８】
【図１】は本考案の第１の実施例の調製機構の斜視図である。
【図２】は本考案の第１の実施例の調製機構の別の角度の斜視図である。
【図３】は本考案の第１の実施例の調製機構の分解斜視図である。
【図４】は本考案の第１の実施例の調製機構の側面図である。
【図５】は本考案の第１の実施例のフィルタカップ組合せの分解斜視図である。
【図６】は本考案の第１の実施例のフィルタカップ組合せの断面図である。
【図７】は本考案の第１の実施例の飲料調製装置の斜視図である。
【図８】は本考案の第１の実施例の飲料調製装置の側面図である。
【図９】は本考案の第１の実施例の飲料調製装置の断面図である。
【図１０】は本考案の第２の実施例のフィルタカップ組合せの分解斜視図である。
【図１１】は本考案の第２の実施例のフィルタカップ組合せの断面図である。
【図１２】は本考案の第３の実施例の飲料調製装置の斜視図である。
【図１３】は本考案の第３の実施例の飲料調製装置の分解斜視図である。
【図１４】は本考案の第４の実施例のフィルタカップ組合せの斜視図である。
【図１５】は本考案の第５の実施例のフィルタカップ組合せの斜視図である。
【図１６】は本考案の第６の実施例の調製機構の斜視図である。
【考案を実施するための形態】
【０００９】
［第１の実施例］
図５及び図６を参照する。本考案は、外部フィルタカップ１と、内部フィルタカップ２とを備えるフィルタカップ組合せ１００を備える飲料調製装置を提供する。
【００１０】
外部フィルタカップ１は頂部が開口状になる外カップ１１を有し、外カップ１１は円形になることが好ましいが、これに制限されるものではない。外カップ１１の頂部に第１の上縁１２が形成されており、第１の上縁１２は外カップ１１の外縁に突き出してもよく、水平状に外カップ１１の頂部に周設されてもよい。外カップ１１の底部に、漏れ止め装置１４が設けられた出口１３を有する。漏れ止め装置１４は常閉であり、持ち上げられる場合に給湯でき、漏れ止め効果を向上するように、漏れ止め装置１４にバネ１４１が設けられてもよい。外部フィルタカップ１を把持しやすくするために、外カップ１１の外縁が第１のハンドグリップ１５に接続されてもよい。
【００１１】
内部フィルタカップ２は頂部及び底部がともに開口状になる内カップ２１を有し、内カップ２１は円形になることが好ましいが、これに制限されるものではない。内カップ２１の頂部に第２の上縁２２が形成されており、第２の上縁２２が内カップ２１の外縁に突き出してもよく、水平状に内カップ２１の頂部に周設されてもよい。内カップ２１の底部にストレーナ２３が設けられており、内部フィルタカップ２を把持しやすくするために、内カップ２１の外縁が第２のハンドグリップ２４に接続されてもよい。
【００１２】
内カップ２１の頂部に蒸気導入口２５が設けられており、外縁に蒸気拡散出口２６が設けられる。蒸気拡散出口２６は内カップ２１の外縁に凹設され、蒸気導入口２５と連通されることにより、蒸気導入口２５から導入される蒸気が蒸気拡散出口２６に輸送され得る。蒸気拡散出口２６が内カップ２１の底部に近接する位置に延出されることができる。
【００１３】
内部フィルタカップ２が外部フィルタカップ１に挿入され、内部フィルタカップ２の内カップ２１が外部フィルタカップ１の外カップ１１内に置かれることができる。内カップ２１と外カップ１１との間に隙間２７が形成されており、且つ蒸気拡散出口２６も内カップ２１と外カップ１１との間に位置する。第２の上縁２２が第１の上縁１２に積み重ねられ、内部フィルタカップ２の第２の上縁２２には、気密性を向上するために第２の上縁２２と第１の上縁１２との間に位置するＯリング２８が設けられてもよい。
【００１４】
これにより、蒸気が内部フィルタカップ２の蒸気導入口２５から蒸気拡散出口２６を経由して周囲に拡散し、隙間２７に沿って下に移動してから、ストレーナ２３を介して上に向かって内部フィルタカップ２に入り、蒸気が内部フィルタカップ２に入ることで二次加温及び撹拌の効果を有することができる。本考案の別の実施例において、蒸気拡散出口２６が内カップ２１と外カップ１１との間に位置するように、蒸気拡散出口２６が外カップ１１の内縁（図示略）に凹設されてもよく、同様に二次加温及び撹拌の効果を有する。
【００１５】
図１乃至図９を参照する。本考案に係る飲料調製装置は、カップホルダ３と、上蓋４と、制御機構５とを備える調製機構２００を備える。カップホルダ３はフィルタカップ組合せ１００を載置するために用いられてもよい。本実施例において、カップホルダ３はＵ型となるフレーム体であるが、その形状及び構造は制限されるものではない。フィルタカップ組合せ１００がカップホルダ３（図７、図８及び図９に示すように）に配置される場合、外部フィルタカップ１の第１の上縁１２がカップホルダ３に置かれ、カップホルダ３の形はほどよく外部フィルタカップ１のサイズに対応でき、カップホルダ３が密着してフィルタカップ組合せ１００を載置できるようにする。カップホルダ３の両側には、さらにそれぞれドーム３１が設けられていることが可能であり、ドーム３１の一端（先端）には、カップホルダ３の先端に位置するローラ３２が枢設されることにより、フィルタカップ組合せ１００の位置決め装置が形成される。
【００１６】
フィルタカップ組合せ１００がカップホルダ３に配置され位置決めされた後、ローラ３２が外部フィルタカップ１の第１の上縁１２の前に位置し、フィルタカップ組合せ１００が確実に位置決めされたことを確認できる。ドーム３１の機能としては、フィルタカップ組合せ１００をセットする場合、ローラ３２が外部フィルタカップ１に接触し、適切に位置決めしていないままで上蓋４を押し下げると、関連機構が押し潰されることを防ぐように、ドーム３１が弾性クッションの作用を提供する。
【００１７】
上蓋４がカップホルダ３の上に設けられ、フィルタカップ組合せ１００に選択的に被覆設置されるためのものである。上蓋４の底部に漏れ止めワッシャ４０が設けられてもよく、漏れ止めワッシャ４０は上蓋４の底部と内部フィルタカップ２の第２の上縁２２との間に位置することができる。上蓋４には、熱水吐出ヘッド４１と蒸気入口４２とが設けられ、さらに蒸気入口と排気出口４３が設けられてもよい。熱水を熱水吐出ヘッド４１に送るために、熱水吐出ヘッド４１が湯弁４４に接続されてもよい。蒸気入口４２が内部フィルタカップ２の蒸気導入口２５に対応し、蒸気を蒸気入口４２に送るために、蒸気入口４２が第１の蒸気弁４５に接続されてもよい。蒸気入口と排気出口４３は、蒸気を蒸気入口と排気出口４３に送るための第２の蒸気弁４６と、排気するための排気弁４７とに接続され、第１の蒸気弁４５を開けて二次加温及び撹拌プロセスを実施する場合、同時に排気弁４７を開けて排気させ、漏れ止め装置１４を開けて給湯する場合、同時に第２の蒸気弁４６を開けて、蒸気圧で給湯の流速を速めて作業時間削減を図る。
【００１８】
制御機構５は上蓋４に接続され、上蓋４を制御して係合及び開放の動作をさせるためのものである。本実施例において、制御機構５は固定座５１と、取手５２と、引きバネ５３と、スイングアームユニット５４とを備えることができる。固定座５１がカップホルダ３に接続され、取手５２の一端が固定座５１に枢設されることで、取手５２が固定座５１上でねじって調整することができる。引きバネ５３が固定座５１と上蓋４との間に接続され、即ち引きバネ５３が固定座５１と上蓋４の後端に近接する箇所に接続され、固定座５１に第１の位置決め点５１１が凸設されており、フィルタカップ組合せ１００をカップホルダ３に置くために、引きバネ５３で上蓋４を上に引張って第１の位置決め点５１１に接触させ、上蓋４とカップホルダ３とが角度及び適切なピッチを有することができる。
【００１９】
スイングアームユニット５４が取手５２と上蓋４との間に設けられ、ユーザが取手５２をねじる場合、スイングアームユニット５４を介して上蓋４を連動して係合及び開放の動作をさせることができる。本実施例において、スイングアームユニット５４は、上スイングアーム５４１と、下スイングアーム５４２と、第１の枢軸５４３と、第２の枢軸５４４と、複数の円板バネ（あるいは皿バネ）５４５からなり、円板バネ５４５が他の弾性体であってもよい。上スイングアーム５４１の一端が取手５２の一端に接続されることで、上スイングアーム５４１が取手５２と同期して動作でき、下スイングアーム５４２の一端が第１の枢軸５４３で上スイングアーム５４１の他端に枢着され、第２の枢軸５４４が下スイングアーム５４２の他端に枢着され、第２の枢軸５４４の中間にドーム押さえ駒５４６が設けられており、上蓋４頂部に接続ベース４８が設けられており、接続ベース４８にスタッド４９が凸設されており、これらの円板バネ５４５がドーム押さえ駒５４６と接続ベース４８との間に設けられ、スタッド４９がこれらの円板バネ５４５及びドーム押さえ駒５４６を貫通してからナット５４７に螺着固定される。
【００２０】
取手５２は上スイングアーム５４１及び下スイングアーム５４２を動かしてドーム押さえ駒５４６を押し下げる場合、円板バネ（あるいは皿バネ）５４５の弾力により上蓋４を押し付けることで、上蓋４の底部の漏れ止めワッシャ４０及び内部フィルタカップ２のＯリング２８が適切な圧力を有し、気密の効果を達成することができる。円板バネ５４５の圧縮によりスイングアームユニット５４が上蓋４の中心線を超え固定座５１の第２の位置決め点５１２（図８に示すように）に接触し、スイングアームユニット５４が離脱して弾くことはない。
【００２１】
本考案はフィルタカップ組合せ１００の下方に、漏れ止め装置１４の開閉を制御するための給湯制御機構６をさらに設けることができる。給湯制御機構６は減速モータ６１と、スイングアーム６２と、ローラ６３と、近接スイッチ６４と、レバー６５とを備えてもよい。スイングアーム６２の一端が減速モータ６１の軸心に接続され、他端がローラ６３に枢着され、近接スイッチ６４がスイングアーム６２の上に設けられ、適切な位置に固定されることができる。レバー６５は支点６５１にてローラ６３及び漏れ止め装置１４の下に支持設置され、支点６５１を回転軸心として揺動することができる。
【００２２】
フィルタカップ組合せ１００の漏れ止め装置１４は常閉であり、飲み物プロセスは例えば、茶湯あるいはコーヒー液を注出する必要がある場合、減速モータ６１によりスイングアーム６２が駆動回転され、さらにレバー６５を動かしてフィルタカップ組合せ１００の漏れ止め装置１４を開閉させる。本実施例において、減速モータ６１は１５ＲＰＭのモータであり、スイングアーム６２が近接スイッチ６４に近接して適切な距離を置く場合減速モータ６１が閉まり、フィルタカップ組合せ１００を装着する場合漏れ止め装置１４が傷付けられることを防ぐように、フィルタカップ組合せ１００が位置決めされた後、レバー６５と漏れ止め装置１４とが小さなピッチを保持している。プロセスは茶湯あるいはコーヒー液を注出する必要がある場合、減速モータ６１が２秒回転し、ほどよく１８０度回転し、レバー６５が漏れ止め装置１４を付勢して、自動制御システムが給湯時間終了後減速モータ６１を回転させ、減速モータ６１はスイングアーム６２を駆動して近接スイッチ６４に近接させた後で閉まり、漏れ止め装置１４が常閉位置に復帰し、スイングアーム６２が一回近接スイッチ６４に近接すると、スイングアーム６２が一回帰零し、上下の死点補正の効果を有する。
【００２３】
本考案の飲料調製装置は使用時に、食材（例えばコーヒー粉、茶の葉等）を内部フィルタカップ２に適量に入れて、内部フィルタカップ２を外部フィルタカップ１に挿入し、フィルタカップ組合せ１００をカップホルダ３に置き、フィルタカップ組合せ１００が位置決めされたことを確認した後、取手５２を回転させ上蓋４をきちんと閉め、気密に保持することができる。次に、調製装置の操作ボタンを押して、自動制御システムが同時に湯弁４４及び排気弁４７を始動し、所定量の熱水を注入した後湯弁４４を閉め、漏れ止め装置１４が設けられているので、熱水が入る場合内部フィルタカップ２において圧縮された空気が排気弁４７から排出され、漏れ止め装置１４で熱水がカップ内に溜まり浸漬プロセスを行う。その後、第１の蒸气弁４５を始動させ、蒸気が内部フィルタカップ２の蒸気導入口２５から蒸気拡散出口２６を経由して周囲に拡散し、内部・外部フィルタカップ間の隙間２７に沿って下へ流れ、ストレーナ２３から上に流れ内部フィルタカップ２に入り、圧縮されたカップ内の空気が排気弁４７から排出され、蒸気が内部フィルタカップ２に入ることで、二次加温及び撹拌の効果を有する。これにより、食材はより調製されやすくなり、濃度及び食感がよりよくなる。
【００２４】
自動制御システムは適量の蒸気を送り出した後、第１の蒸气弁４５を閉め、継続浸漬を設定したり、茶湯を注出したりすることができる。茶湯を注出する場合、減速モータ６１を起動し１８０度回転させ、フィルタカップ組合せ１００の漏れ止め装置１４を開けて茶湯を出すことができる。トータル調製時間を削減するために、給湯速度を向上する必要があれば、給湯時に第１の蒸气弁４５及び排気弁４７を閉め、第２の蒸气弁４６を開け、蒸気の圧力で茶湯を押し出し、給湯が完成すれば第２の蒸气弁４６を閉める。例えば、お茶を入れる場合、多段の調製が必要とする場合、自動制御システムにより多段熱水給水、蒸気加温、撹拌及び茶湯注出のプロセスを実施し、茶の葉から十分に調製液を取り出し、食感がより濃厚にされ得る。例えば、手動でコーヒーを入れるプロセスを実施する場合、各種の給水プロセスを設定することができ、プロセス実施の場合、最初から最後までフィルタカップ組合せ１００の漏れ止め装置１４が開けられ、手動で入れると同様なプロセスを実施し、あるいは外部フィルタカップ１による給水を固定出水ノズル（図１４に示すように）に変更することができる。本考案はさらに無線や有線の手段で注文機（ＰＯＳ）にリンクしてもよく、携帯電話、タブレットＰＣあるいはコンピュータにより操作プロセス及び遠端のチェーン店本社あるいは実施の情報を受信する必要のある者を入力できる。
【００２５】
［第２の実施例］
図１０及び図１１を参照する。本実施例では、フィルタ７により上記の実施例中の内部フィルタカップ２を取り替え、フィルタカップ組合せ１００は外部フィルタカップ１と、フィルタ７とを備える。外部フィルタカップ１の外カップ１１の内縁の底部に近接する箇所に溝１７が周設されており、フィルタ７はグリップ７３に接続されているストレーナ７１と、ストレーナ７１の外縁に外嵌されるＯリング７２とを備える。フィルタ７が外部フィルタカップ１の外カップ１１内に設けられ、Ｏリング７２にて溝１７に係止位置決めされる。外カップ１１の頂部に蒸気導入口１８が設けられており、外カップ１１の一側に蒸気拡散出口１９が設けられており、蒸気拡散出口１９が外カップ１１の側壁に設けられ外部に突出し、蒸気拡散出口１９と蒸気導入口１８とが連通され、蒸気拡散出口１９が外カップ１１の底部に近接する箇所まで延出され、外カップ１１内のフィルタ７の下の空間とが連通されるので、蒸気導入口１８から導入された蒸気が蒸気拡散出口１９に導入され得る。本実施例の操作方法は上記の実施例とほぼ同じであり、熱水が外部フィルタカップ１に送り出される場合、蒸気が外部フィルタカップ１の蒸気導入口１８から蒸気拡散出口１９を経由して下に移動してから、ストレーナ７１を介して上に向かって外部フィルタカップ１に入ることができ、二次加温及び撹拌の効果を有することができるとともに、フィルタ７が取り外されて洗浄されることができる。
【００２６】
［第３の実施例］
図１２及び図１３を参照する。本実施例では、スライドレール装置により上記の実施例中のカップホルダ３を取り替え、スライドレール装置８はスライドレール８１と、スライドレール８１の先端に設けられる環状となるカップホルダ８２とを備え、スライドレール８１上のカップホルダ８２がフィルタカップ組合せ１００の形に対応し、密着してセットされやすくする。
【００２７】
［第４の実施例］
図１４を参照する。本考案が多段浸漬機能のない場合に用いられ、外部フィルタカップ１の漏れ止め装置１４が出水ノズル１６に変更されてもよく、出水ノズル１６が交換可能なものに設計され得、異なる飲み物食材の需要により異なる孔径の出水孔を交換することができる。
【００２８】
［第５の実施例］
図１５を参照する。本実施例では、一回に２杯を入れる場合、直接二つのカップ容器に分注するために、出水ノズル１６は二重出口に設計されてもよい。
【００２９】
［第６の実施例］
図１６を参照する。本実施例では、それぞれ第１の給気ポンプ４５ａ、第２の給気ポンプ４６ａにより上記の実施例中の第１の蒸気弁４５、第２の蒸気弁４６を取り替える。蒸気入口４２が第１の給気ポンプ４５ａに接続され、蒸気入口と排気出口４３が第２の給気ポンプ４６ａ及び排気弁４７に接続される。撹拌機能で加温しない場合、撹拌プロセスを実施するために、第１の給気ポンプ４５ａで空気を導入することができ、空気圧で給湯の流速を速めて作業時間削減を図るために、第２の給気ポンプ４６ａを開けてもよい。また、排気弁４７は排気するためのものである。
【００３０】
本考案は少なくとも下記のメリットを有する。
１、飲み物がより濃厚になるように、多段調製及び浸漬プロセスを実施することができる。
２、飲み物の調製効果がよりよくなるように、再加熱及び撹拌を実施することができる。
３、自動制御システムにより一般の一段調製一段出水または多段出水、あるいは多段出水及び多段浸漬を実施することができ、各種の異なる食材の最適調製プロセスに適合できる。
４、操作が簡単で、安価である。
５、洗浄しやすく、衛生的である。
６、異なる飲み物の調製の需要により、種々の異なる調製フィルタカップを組み合わせることができ、気密部分が同様であればよい。
【００３１】
以上に記載されたのは本考案の好ましい実施例に過ぎず、本考案の特許請求の範囲を制限するためのものではなく、本考案の明細書及び図面内容に基づき為された等価な変形は、すべて同様に本考案の実用新案登録請求の範囲に含まれることを明らかにしておく。
【符号の説明】
【００３２】
１    外部フィルタカップ
１１    外カップ
１２    第１の上縁
１３    出口
１４    漏れ止め装置
１４１    バネ
１５    第１のハンドグリップ
１６    出水ノズル
１７    溝
１８    蒸気導入口
１９    蒸気拡散出口
２    内部フィルタカップ
２１    内カップ
２２    第２の上縁
２３    ストレーナ
２４    第２のハンドグリップ
２５    蒸気導入口
２６    蒸気拡散出口
２７    隙間
２８    Ｏリング
３    カップホルダ
３１    ドーム
３２    ローラ
４    上蓋
４０    漏れ止めワッシャ
４１    熱水吐出ヘッド
４２    蒸気入口
４３    蒸気入口と排気出口
４４    湯弁
４５    第１の蒸気弁
４５ａ    第１の給気ポンプ
４６    第２の蒸気弁
４６ａ    第２の給気ポンプ
４７    排気弁
４８    接続ベース
４９    スタッド
５    制御機構
５１    固定座
５１１    第１の位置決め点
５１２    第２の位置決め点
５２    取手
５３    引きバネ
５４    スイングアームユニット
５４１    上スイングアーム
５４２    下スイングアーム
５４３    第１の枢軸
５４４    第２の枢軸
５４５    円板バネ
５４６    ドーム押さえ駒
５４７    ナット
６    給湯制御機構
６１    減速モータ
６２    スイングアーム
６３    ローラ
６４    近接スイッチ
６５    レバー
６５１    支点
７    フィルタ
７１    ストレーナ
７２    Ｏリング
７３    グリップ
８    スライドレール装置
８１    スライドレール
８２    カップホルダ
１００    フィルタカップ組合
２００    調製機構
【図１】
0003207137.tif 000003
【図２】
0003207137.tif 000004
【図３】
0003207137.tif 000005
【図４】
0003207137.tif 000006
【図５】
0003207137.tif 000007
【図６】
0003207137.tif 000008
【図７】
0003207137.tif 000009
【図８】
0003207137.tif 000010
【図９】
0003207137.tif 000011
【図１０】
0003207137.tif 000012
【図１１】
0003207137.tif 000013
【図１２】
0003207137.tif 000014
【図１３】
0003207137.tif 000015
【図１４】
0003207137.tif 000016
【図１５】
0003207137.tif 000017
【図１６】
0003207137.tif 000018